(57)【要約】  永久磁石埋込型電動機１は、複数の永久磁石１９を有するロータ５と、ステータ３とを備え、ロータは、ロータ鉄心１１を備え、ロータ鉄心は、複数の磁石挿入孔２１を有し、複数のスリット３１が、ロータ鉄心における磁石挿入孔の径方向外側の部分に設けられ、少なくとも２つのスリットは、当該２つのスリットで挟まれた鉄心部分が径方向外側に向けて広がる部分を有するように設けられている。
2015162690.tif 000002
【特許請求の範囲】
【請求項１】
複数の永久磁石を有するロータと、ステータとを備える永久磁石埋込型電動機において、
前記ロータは、ロータ鉄心を備え、
前記ロータ鉄心は、複数の磁石挿入孔を有し、
複数のスリットが、前記ロータ鉄心における、前記磁石挿入孔の径方向外側の部分に、設けられており、
少なくとも２つの前記スリットは、当該２つのスリットで挟まれた鉄心部分が径方向外側に向けて広がる部分を有するように、設けられている、
永久磁石埋込型電動機。
【請求項２】
前記複数のスリットはそれぞれ、第１の部分を備えており、
前記第１の部分はそれぞれ、対応する磁極中心線から離れており、前記スリットにおける前記磁極中心線側で且つロータ外周面側に位置しており、
前記磁極中心線から前記第１の部分までの距離は、径方向内側から径方向外側にむけて大きくなる、
請求項１の永久磁石埋込型電動機。
【請求項３】
前記スリットの最外端部は、当該スリットの幅中心線の外側に位置している、
請求項１または２の永久磁石埋込型電動機。
【請求項４】
前記永久磁石はそれぞれ、円弧状に湾曲しており、
前記永久磁石はそれぞれ、その円弧形状の凸部側が前記ロータの中心側に配置されている、
請求項１〜３の何れか一項の永久磁石埋込型電動機。
【請求項５】
前記ロータの外周面の磁極中心部は、前記ロータの外周面の極間部よりも径方向外側に膨らんでおり、
前記ステータと前記ロータの前記極間部との間のエアギャップは、前記ステータと前記ロータの前記磁極中心部との間のエアギャップよりも大きい、
請求項１〜４の何れか一項の永久磁石埋込型電動機。
【請求項６】
前記永久磁石は、フェライト磁石、もしくは、希土類磁石である、
請求項１〜５の何れか一項の永久磁石埋込型電動機。
【請求項７】
密閉容器内に、電動機と、圧縮要素とを備えた圧縮機であって、
前記電動機は、請求項１〜６の何れか一項の永久磁石埋込型電動機である、
圧縮機。
【請求項８】
請求項７の圧縮機を冷凍回路の構成要素として含む、冷凍空調装置。
【発明の詳細な説明】
【技術分野】
【０００１】
本発明は、永久磁石埋込型電動機、圧縮機、冷凍空調装置に関するものである。
【背景技術】
【０００２】
従来の永久磁石埋込型電動機として、例えば、特許文献１には、複数のスリットのそれぞれと回転子鉄心外周部との間のスリット薄肉部の径方向の寸法を、永久磁石挿入孔の端部空隙と回転子鉄心外周部との間の挿入孔端部薄肉部の径方向の寸法よりも大きくし、複数のスリットのスリット薄肉部の径方向の寸法を、極間から磁極中心に向かって徐々に大きくするとともに、磁極中心に最も近いスリットのスリット薄肉部の径方向の寸法を、最も極間に近いスリットのスリット薄肉部の径方向の寸法よりも大きく、他のスリットのスリット薄肉部の径方向の寸法よりも小さくした構成が開示されている。【０００３】
このような構成によれば、永久磁石挿入孔の径方向外側に配置されるスリットによる磁気飽和を低減し、さらに電機子反作用の影響を小さくし、トルクリップルを低減することができる。
【先行技術文献】
【特許文献】
【０００４】
【特許文献１】特許第５２０８０８４号
【発明の概要】
【発明が解決しようとする課題】
【０００５】
しかしながら、上記のようにスリット薄肉部の径方向寸法を広くする形状において、ロータ外周の磁束密度の集中が大きい場合は、スリット薄肉部を広げて設計する必要がある。その際、広げた鉄心部にステータ磁束が鎖交しやすくなり、ステータ磁束により発生するロータ磁気吸引力を低減するというスリットの効果が低減してしまう。【０００６】
更に、スリット薄肉部を広げて、ロータ外周近傍にスリットが無い状態は、ロータ外周表面の磁束密度分布が不安定であり、鉄心部に局所的な磁束の集中が発生しやすく、ロータ外周表面の磁束密度分布がアンバランスになることによる磁気吸引力が発生し、振動の原因となる恐れもある。【０００７】
本発明は、上記に鑑みてなされたものであり、ステータ磁束により発生する磁気吸引力を低減する効果をほとんど変えることなく、ロータ外周表面の磁束密度のアンバランスを抑制し、振動を小さくすることができる、永久磁石埋込型電動機を提供することを目的とする。
【課題を解決するための手段】
【０００８】
上述した目的を達成するため、本発明は、複数の永久磁石を有するロータと、ステータとを備える永久磁石埋込型電動機において、前記ロータは、ロータ鉄心を備え、前記ロータ鉄心は、複数の磁石挿入孔を有し、複数のスリットが、前記ロータ鉄心における、前記磁石挿入孔の径方向外側の部分に、設けられており、少なくとも２つの前記スリットは、当該２つのスリットで挟まれた鉄心部分が径方向外側に向けて広がる部分を有するように、設けられている。
さらに、同目的を達成するための本発明の圧縮機は、密閉容器内に、電動機と、圧縮要素とを備えた圧縮機であって、前記電動機は、上述した本発明の永久磁石埋込型電動機である。
さらに、同目的を達成するための本発明の冷凍空調装置は、上述した本発明の圧縮機を冷凍回路の構成要素として含む。
【発明の効果】
【０００９】
本発明によれば、ステータ磁束により発生する磁気吸引力を低減する効果をほとんど変えることなく、ロータ外周表面の磁束密度のアンバランスを抑制し、振動を小さくすることができる。
【図面の簡単な説明】
【００１０】
【図１】本発明の実施の形態１に係る永久磁石埋込型電動機の回転中心線と直交する断面を示す図である。
【図２】図１において、ロータを拡大して示す図である。
【図３】図２において、磁石挿入孔および複数のスリットを拡大して示す図である。
【図４】図２において、複数のスリットをさらに拡大して示す図である。
【図５】図２において、ステータ磁束の鎖交を説明する図である。
【図６】本実施の形態１に関するスリットと、比較例に関するスリットとを図示した、図３と同態様の図である。
【図７】ロータの回転中心をステータの回転中心に対してずらした状態における、駆動時の振動解析結果のステータ外周部の加速度を抽出した結果（６次成分）を示すグラフである。
【図８】ロータの回転中心をステータの回転中心に対してずらした状態における、駆動時の振動解析結果のステータ外周部の加速度を抽出した結果（１８次成分）である。
【図９】ロータの回転中心をステータの回転中心に対してずらした状態における、駆動時の振動解析結果のステータ外周部の加速度を抽出した結果（２４次成分）である。
【図１０】本発明の実施の形態２に関する、図２と同態様の図である。
【図１１】本発明の実施の形態３に関し、ステータとロータとの関係を説明する図である。
【図１２】本発明の実施の形態４に係る圧縮機の縦断面図である。
【図１３】本発明の実施の形態５に係る冷凍空調装置を示す図である。
【発明を実施するための形態】
【００１１】
以下、本発明の実施の形態について添付図面に基づいて説明する。なお、図中、同一符号は同一又は対応部分を示すものとする。
【００１２】
実施の形態１．
図１は、本実施の形態１に係る永久磁石埋込型電動機の回転中心線と直交する断面を示す図である。図２は、図１において、ロータを拡大して示す図である。図３は、図２において、磁石挿入孔および複数のスリットを拡大して示す図である。図４は、図２において、複数のスリットをさらに拡大して示す図である。
【００１３】
図１〜図４に示されるように、永久磁石埋込型電動機１は、ステータ３と、そのステータ３に対向して回転可能に設けられたロータ５とを備えている。ステータ３は、複数のティース部７を有している。複数のティース部７はそれぞれ、対応するスロット部９を介して別のティース部７と隣り合っている。複数のティース部７と複数のスロット部９とが周方向に交互に且つ等間隔で並ぶように配置されている。複数のティース部７には、それぞれ、図示省略する公知のステータ巻線が公知の態様で巻回されている。
【００１４】
ロータ５は、ロータ鉄心１１と、シャフト１３とを有している。シャフト１３は、ロータ鉄心１１の軸心部に、焼嵌、圧入等により連結されており、ロータ鉄心１１に回転エネルギーを伝達する。ロータの外周面と、ステータの内周面との間には、エアギャップ１５が確保されている。
【００１５】
このような構成において、ロータ５は、エアギャップ１５を介したステータ３の内側で、回転中心線（ロータの回転中心、シャフトの軸線）ＣＬを中心に回転自在に保持されている。具体的には、ステータ３に、指令回転数に同期した周波数の電流を通電することにより、回転磁界を発生させ、ロータ５を回転させる。ステータ３とロータ５との間のエアギャップ１５は、０．３〜１ｍｍの空隙である。
【００１６】
次に、ステータ３と、ロータ５との構成を詳細に説明する。ステータ３は、ステータ鉄心１７を有する。ステータ鉄心１７は、一枚あたりの厚さが０．１〜０．７ｍｍ程度の電磁鋼板を所定の形状に打ち抜き、所定枚数の電磁鋼板をカシメで締結しながら積層して構成される。ここでは、板厚が０．３５ｍｍの電磁鋼板を用いている。
【００１７】
ステータ鉄心１７には、その径方向内側に周方向に略等間隔に並ぶ９個のティース部７が形成されている。ティース部７は、放射状に形成されている。そして、ステータ鉄心１７において隣り合うティース部７の間の領域に、対応するスロット部９が形成されている。
【００１８】
ティース部７はそれぞれ、径方向を延びており、回転中心線ＣＬに向けて突出する。また、ティース部７の大部分は、径方向外側から径方向内側にかけて略等しい周方向の幅を有しているが、ティース部７の最も径方向内側となる先端部には、ティース歯先部７ａが形成されている。ティース歯先部７ａはそれぞれ、その両側部が周方向に広がる傘状の形状に形成されている。
【００１９】
ティース部７には、回転磁界を発生させるコイル（図示せず）を構成するステータ巻線（図示せず）が巻かれている。コイルは、マグネットワイヤーを、絶縁体を介してティース部に直接巻き付けて形成される。この巻線方式を、集中巻線という。そして、コイルは、３相Ｙ結線に結線される。コイルのターン数や線径は、要求される特性（回転数やトルク等）、電圧仕様、スロットの断面積に応じて定まる。ここでは、巻線し易いように分割ティースを帯状に展開し、線径φ１．０ｍｍ程度のマグネットワイヤーを各磁極のティース部に８０ターン程度巻き付け、巻線後、分割ティースを環状に丸め、溶接してステータを構成している。
【００２０】
ステータ３の中心付近には、回転可能に保持されたシャフト１３が配置されている。そして、そのシャフト１３にロータ５が嵌合されている。ロータ５は、ロータ鉄心１１を有しており、そのロータ鉄心１１もまた、ステータ鉄心１７と同様、厚さ０．１〜０．７ｍｍ程度の電磁鋼板を所定の形状に打ち抜き、所定枚数の電磁鋼板をカシメで締結しながら積層して構成される。ここでは、板厚が０．３５ｍｍの電磁鋼板を用いている。
【００２１】
ロータ５は、磁石埋込型であり、ロータ鉄心１１の内部には、Ｎ極とＳ極とが交互になるように着磁された複数の（本具体例では６個の）の永久磁石１９が設けられている。永久磁石１９はそれぞれ、円弧状に湾曲しており、その円弧形状の凸部側がロータ５の中心側に配置されている。また、永久磁石１９はそれぞれ、対応する磁極中心線に対して線対称となるように湾曲している。より詳細には、ロータ鉄心１１には、複数の永久磁石１９に対応した数の磁石挿入孔２１が形成されており、複数の磁石挿入孔２１にはそれぞれ、対応する永久磁石１９が挿入されている。一つの磁石挿入孔２１につき一つの永久磁石１９が挿入されている。
【００２２】
なお、ロータ５の磁極数は、２極以上であればいくつでもよいが、本例では、６極の場合を例示している。ここでは、永久磁石１９にフェライト磁石を使用し、フェライト磁石の内周面と外周面とを一定の同心円弧状に形成し、フェライト磁石の湾曲径方向の厚みを一様に６ｍｍ程度に維持されるようにしている。
【００２３】
また、永久磁石１９には、図３に矢印ＭＯで示されるように同心円弧の中心から配向磁場を印加した磁石を用いており、且つ、その磁石に沿った形状の磁石挿入孔に対し、磁石を挿入している。なお、磁石の種類は、例えば、ネオジウム、鉄、ボロンを主成分とする希土類磁石を用いて良いし、磁石の形状に関しても、円弧形状に限定することは無く、平板状のものや、平板状のものを複数枚配置して磁極を構成した形でも良い。
【００２４】
磁石挿入孔２１における永久磁石１９の側面部が納まる磁石側面対向部２３と、ロータ外周面５ａとの間は、一様な肉厚の極間薄肉部２５が存在する。これらの極間薄肉部２５はそれぞれ、隣接する磁極間での漏れ磁束の経路となるため、できるだけ薄いことが好ましい。ここではプレス可能な最小幅として電磁鋼板の板厚に等しい０．３５ｍｍ程度に設定している。また、永久磁石１９が磁石挿入孔２１に挿入されたとき、磁石挿入孔２１における磁石側面対向部２３と、永久磁石１９の側面部との間には、側面側隙間２１ａが生じる。
【００２５】
本発明のロータ鉄心における少なくとも一つの磁石挿入孔の径方向外側の部分には、複数のスリットが設けられており、本実施の形態１では、磁石挿入孔２１のそれぞれの径方向外側の部分に、複数のスリット３１が設けられている。複数のスリット３１はそれぞれ、対応する磁石挿入孔２１の径方向外側の孔画定部からロータ外周面５ａ近傍まで延びる空隙部である。
【００２６】
図３および図４に示されるように、スリット３１は、その長軸方向が、対応する磁極中心線ＭＣに対して略平行な方向に向くように、磁極中心線ＭＣに対し線対称な５本のスリットを形成している。ここでは、磁極中心線ＭＣ上に１本のスリットと、磁極中心線ＭＣに対し線対称な位置に４本のスリットとが形成されている。
【００２７】
磁極中心線ＭＣ上のスリットの径方向内側（スリットと磁石挿入孔との間の鉄心部分）には、カシメ３３が設けられており、これにより、ロータ５における磁石挿入孔２１の径方向外側の鉄心部分の積層を固定し、製造時の変形を抑制している。本来、磁極中心線ＭＣ上のスリットは、磁石挿入孔２１の径方向外側の孔画定部からロータ外周面５ａの近傍まで延びるように形成するものであるが、ここでは、カシメ３３を配置する関係上、カシメ３３より外周側に設けている。
【００２８】
これらのカシメ３３は、コア（鋼板）を変形させて、積層するコア間（鋼板間）を嵌め合いで固定しているため、カシメ部分の鉄心には大きな応力が発生している。コア（ロータ鉄心１１）の透磁率は応力下で低下する特性を有しており、カシメを配置した部位は、透磁率が低下し、スリットを設けたのと同じような磁気特性を有する。
【００２９】
なお、磁石挿入孔２１の径方向内側には、周方向に交互に等間隔で並ぶ複数の風穴３５と複数のリベット穴３７とが設けられており、カシメ３３は、対応するリベット穴３７と、対応する一対の磁石挿入孔２１との間にも、設けられている。
【００３０】
さらに、スリットの役割を説明する。図５に示されるように、永久磁石埋込型電動機１は、ロータ５の永久磁石１９の径方向外側に鉄心部分を有するため、符号Ｍｄで示されるようにステータ磁束が鎖交し難い磁極中心線方向のｄ軸方向と、符号Ｍｑで示されるようにステータ磁束が鎖交しやすい磁極中心線に垂直な方向のｑ軸方向とが存在する。その磁気抵抗の突極差によりリラクタンストルクを利用でき、ｄ軸位相の電流を流すことで弱め界磁運転が出来るというメリットを有する。
【００３１】
しかし、ロータ５の回転中心がステータ３の回転中心に対してずれている場合や回転磁界にアンバランスが生じた場合、ｑ軸位相のステータ磁束が、ロータの永久磁石の径方向外側の鉄心部分を鎖交する際のロータ磁気吸引力にアンバランスが生じ、振動を大きくするという課題があった。
【００３２】
具体的には、本例は６極のロータを用いており、永久磁石の径方向外側の鉄心部分が６箇所存在する。この場合、ｑ軸位相のステータ磁束が、永久磁石の径方向外側の鉄心部分を鎖交する際のロータ磁気吸引力のアンバランスは、ロータの１回転中に６回発生し、回転数の６倍の次数成分の振動が発生する。また、異なる例を挙げると、４枚の磁石を用いた永久磁石埋め込み型電動機においては、ロータの回転中心がステータの回転中心に対してずれている場合や回転磁界にアンバランスが生じた場合、回転数の４倍の次数成分の振動が発生する。
【００３３】
そこで、上記の振動を抑制するために、ロータの永久磁石の径方向外側の鉄心部分に、磁石挿入孔の径方向外側からロータの外周面に延びるスリット（空隙部）を設けることにより、ｑ軸位相のステータ磁束が、永久磁石の径方向外側の鉄心部分に鎖交し難くし、ロータ磁気吸引力のアンバランスを小さくし、振動を低減している。ステータ磁束により発生するロータの磁気吸引力のアンバランスを低減するためには、ｑ軸位相のステータ磁束が鎖交し難いスリット形状が好ましく、具体的には、スリットは、磁石挿入孔の径方向外側からロータの外周面の近傍まで、対応する磁極中心線ＭＣに対して略平行な方向（長軸方向）に延び、短軸方向（長軸方向と直交する方向）の幅が広い形状が効果的であり、特に磁路が広くステータ磁束が鎖交しやすい磁石近傍の鉄心部分の幅が狭くなるような配置が好ましい。
【００３４】
具体的に、スリット３１と磁石挿入孔２１との間は、鉄心薄肉部３９で構成されており、スリット３１とロータ外周面５ａとの間も鉄心薄肉部３９で構成されている。ｑ軸位相のステータ磁束を鎖交し難くするために、鉄心薄肉部３９はそれぞれ、できるだけ狭いことが好ましく、ここでは鉄心薄肉部の最小幅（スリットと磁石挿入孔との最小間隔、または、スリットとロータ外周面との最小間隔）が、プレス可能な最小幅である電磁鋼板の板厚０．３５ｍｍ程度に設定している。スリットの幅（短軸方向）に関しては、最も広い部分の幅が０．５〜３ｍｍ程度である。つまり、スリットの幅や配置に関しては、ステータ磁束によるロータの磁気吸引力のアンバランス（６次成分の振動）が小さくなるような構成としている。
【００３５】
また、スリットは、永久磁石の磁束の向きを規制する役割を持ち、ロータ外周面の磁束密度分布は、ロータの磁極中心線で凸となる正弦波状の分布になることが好ましい。そのため、従来のスリットは、スリットの長軸方向の向きが、磁極中心線に対して略平行な方向、もしくは、スリットのロータ外周側の先端が磁極中心線側を向く方向に、磁極中心線に対し線対称な形で形成されるのが一般的である。すなわち、隣接するスリット間の鉄心部分の幅は、磁石挿入孔側からロータ外周面に向けて一定であるか、もしくは、磁石挿入孔側からロータ外周面に向けて狭くなるように形成されるのが一般的である。このようにして、ロータ外周面近傍の鉄心の磁束密度は、磁極中心線付近で高くなるよう構成され、スリットにより、ロータ外周面の磁束密度分布をロータの磁極中心線で凸となる正弦波状の分布にすることで、振動低減する効果も有している。
【００３６】
しかしながら、ロータの永久磁石の径方向外側の鉄心部分に、スリットを配置することにより、スリット間の鉄心部分に磁束が局所的に集中し、ロータ外周面の磁束密度分布がアンバランスになることによる磁気吸引力が発生し、振動の原因となることもある。
【００３７】
そこで、本発明では、少なくとも２つのスリットは、当該２つのスリットで挟まれた鉄心部分が径方向外側に向けて広がる部分を有するように、設けられており、本実施の形態１では、それぞれの磁石挿入孔の径方向外側において、複数（４つ）のスリット３１は、隣り合うスリット３１で挟まれた鉄心部分が何れも、径方向外側に向けて広がる部分を有するように、設けられている。よって、ロータ鉄心１１は、隣り合うスリット３１の間に、径方向外側にいくほど幅が広がる部分１１ａを有している。ロータ鉄心１１にこのような部分１１ａが生じるようにスリット３１を形成することで、永久磁石の径方向外側の鉄心部分に、磁束が集中することを緩和し、ロータ外周面の磁束密度のアンバランスを抑制している。
【００３８】
具体的に図４を用いて説明すると、ロータ鉄心１１における隣り合うスリット３１の間の部分１１ａにおいては、径方向外側部分の幅Ｗａ＞径方向内側部分の幅Ｗｂ、径方向外側部分の幅Ｗｃ＞径方向内側部分の幅Ｗｄとなっている。また、かかる構成を、スリットの視点から記述すると、磁極中心線ＭＣ上から離れているスリット３１は、その磁極中心線側に、第１の部分４１と、第２の部分４３とを備えている。第１の部分４１は、ロータ外周面側にあり、磁極中心線ＭＣから第１の部分４１までの距離Ｄ１、Ｄ２は、径方向内側から径方向外側にむけて大きくなる。第２の部分４３は、磁石挿入孔２１側にあり、磁極中心線ＭＣから第２の部分４３までの距離Ｄ３、Ｄ４は、一定である。ロータ外周面側の端部３１ａは、第１の部分４１により、磁極中心線ＭＣ側が面取りされた形状になっており、スリット３１の幅は、磁石挿入孔側では一定であり、ロータ外周面側では狭くなる。
【００３９】
ロータ外周面５の磁束密度は、径方向外側の鉄心部分の磁束密度の影響を受けやすいため、隣り合うスリット間の鉄心部分の幅がロータ外周面側で広がるようにスリットを形成することで、本来の目的であったステータ磁束により発生する磁気吸引力を低減する効果をほとんど変えることなく、ロータ外周面の磁束密度のアンバランスを抑制し、振動の小さい電動機を構成することが出来る。
【００４０】
なお、本発明は、複数のスリットのうち、全てのスリットにおいて、隣り合うスリット間の鉄心部分の幅が、ロータ外周面側で広がる態様を満たしていることには、限定されない。
【００４１】
また、ロータ外周面の磁束密度分布は、ロータの磁極中心線で凸となる正弦波状の分布になることが好ましく、ロータ外周面近傍の鉄心の磁束密度は、磁極中心線付近で高くなるよう構成されていることが多い。実施の形態１において、スリット３１の最外端部３１ｂは、スリット３１の幅中心線ＣＷ（スリットの幅の中心を通り対応する磁極中心線ＭＣと平行な線）の外側（対応する磁極中心線ＭＣから離れる側）に位置する。最外端部３１ｂは、スリット３１におけるロータ外周面側の先細部の先端部であり、スリット３１の幅中心線ＣＷの方向の延びでみた場合、最もロータ外周面側に延びた先端部である。このように形成することで、特に磁極中心線側の磁路を広げ、磁束密度の集中を緩和することが出来、ロータ外周表面の磁束密度のアンバランス抑制に効果的である。
【００４２】
次に、図６〜図９に基づき、本実施の形態１の効果について説明する。図６は、本実施の形態１に関するスリットと、比較例に関するスリットとを図示した、図３と同態様の図である。
【００４３】
図６に示されるように、本実施の形態１に関するスリットは、符号ＥＭで示されており、比較例に関するスリットは、符号ＲＡで示す点線で図示されているように、ほぼ一定の幅を有している。
【００４４】
図７は、本実施の形態１のスリットを有するロータと、比較例のスリットを有するロータと、スリットを有しないロータとに関して、ロータの回転中心をステータの回転中心に対してずらした（偏心させた）状態における、駆動時の振動解析結果のステータ外周部の加速度（６次成分：回転数の６倍の周波数）を抽出した結果である。
【００４５】
図７の結果から分かるように、スリットが無いロータに対して、本実施の形態１のスリットを有するロータや比較例のスリットを有するロータでは、加速度の６次成分が大幅に減少していることが分かる。
【００４６】
ｑ軸位相のステータ磁束がロータの永久磁石外周側の鉄心部に鎖交し難くし、ロータ磁気吸引力のアンバランスを小さくし、振動を低減する効果が大きいと言える。
【００４７】
また、図８および図９は、本実施の形態１のスリットを有するロータと、比較例のスリットを有するロータとに関して、ロータの回転中心をステータの回転中心に対してずらした（偏心させた）状態における、駆動時の振動解析結果のステータ外周部の加速度（１８次：回転数の１８倍の周波数、２４次成分：回転数の２４倍の周波数）を抽出した結果である。ここでは、代表例として、高次の中でステータ外周部の加速度が大きめの、１８次と２４次を選定している。
【００４８】
図８の結果から分かるように、本実施の形態１のスリットを有するロータの加速度の１８次成分は、比較例のスリットを有するロータの加速度の１８次成分の２８％まで低減できていることが分かる。また、図９の結果から分かるように、本実施の形態１のスリットを有するロータの加速度の２４次成分は、比較例のスリットを有するロータの加速度の２４次成分の２３％まで低減できていることが分かる。
【００４９】
この１８次の振動や２４次の振動は、ｑ軸位相のステータ磁束が、ロータにおける磁石挿入孔の径方向外側の鉄心部分を鎖交する際のロータ磁気吸引力にアンバランスが生じて生じる６次成分とは異なり、ロータ外周面の磁束密度分布のアンバランスによって発生する次数成分であり、本実施の形態１のスリットは、比較例のスリットに対し、ロータにおける磁石挿入孔の径方向外側の鉄心部分の磁束の集中を緩和し、ロータ外周面の磁束密度のアンバランスを抑制することで、振動の加速度を抑制している。
【００５０】
また、本実施の形態１では、永久磁石はそれぞれ、円弧状に湾曲しており、その円弧形状の凸部側がロータの中心側に配置されている。すなわち、永久磁石の配置が、磁極中心線上で最も内径側に位置するように、磁極中心線に対して線対称に傾いている。
【００５１】
永久磁石の配置が、磁極中心線上で最も内径側に位置するように、磁極中心線に対して線対称に傾いているロータの場合、永久磁石の磁束は、磁極中心線上に集中するように構成されているため、ロータ外周近傍の鉄心の磁束密度は、特に磁極中心線近傍で高くなり、前記スリットはロータ外周表面の磁束密度のアンバランス抑制に非常に効果的である。
【００５２】
本実施の形態では、フェライト磁石を用いたロータとして説明しているが、希土類磁石を用いたロータの場合においても、希土類磁石の残留磁束密度はフェライト磁石よりも高く、ロータ外周近傍の鉄心の磁束密度は高くなるため、前述のスリットによる磁束密度の緩和は効果的である。
【００５３】
以上のように構成された本実施の形態１の永久磁石埋込型電動機によれば、隣接するスリット間の鉄心部の幅がロータ外周側で広がるようにスリットを形成することで、本来の目的であったステータ磁束により発生する磁気吸引力を低減する効果をほとんど変えることなく、ロータ外周表面の磁束密度のアンバランスを抑制し、振動の小さい電動機を構成することが出来る。
【００５４】
実施の形態２．
次に、本発明の実施の形態２について説明する。図１０は、本実施の形態２に関する、図２と同態様の図である。なお、本実施の形態２は、以下に説明する部分を除いては、上述した実施の形態１と同様であるものとする。
【００５５】
本実施の形態２のロータ１０５では、スリット１３１のロータ外周面側の端部は、その対応する磁極中心線ＭＣ側と、磁極中心線ＭＣの反対側との、両方が、面取りされた形状になっている。スリット１３１の長軸方向において、スリット１３１の幅は、磁石挿入孔側で一定であり、ロータ外周面側で狭くなるような形状となっている。
【００５６】
かかる形状のスリットによっても、ロータ外周面側の先細部（最外端部）は、スリットの磁極中心線に対して外側に寄るように配置されており、このように形成することで、特に磁極中心線側の磁路を広げ、磁束密度の集中を緩和することが出来、ロータ外周表面の磁束密度のアンバランス抑制に効果的である。
【００５７】
実施の形態３．
次に、本発明の実施の形態３について説明する。図１１は、本実施の形態３に関し、ロータとステータとの関係を示す図である。なお、本実施の形態３は、以下に説明する部分を除いては、上述した実施の形態１または２と同様であるものとする。また、図１１は、図示の便宜上、実施の形態１のスリットを例に図示しているが、実施の形態２のスリットを設けたものとして実施することもできる。
【００５８】
ロータの外周面５ａの磁極中心部は、ロータの外周面５ａの極間部よりも径方向外側に膨らんでいる。すなわち、ロータ外周面５ａは、第１円弧５１と、第２円弧５２とを有しており、第１円弧５１は、磁極中心線上の部分が最も径方向向外側に膨らんでいる。よって、ステータ３とロータ５の極間部との間のエアギャップは、ステータ３とロータ５の磁極中心部との間のエアギャップよりも大きい。具体例として、図１２で説明すると、ロータ外周面５ａの第１円弧５１とステータ内周面との間のエアギャップ１５のうち最小となる磁極中心線上のエアギャップは、０．６ｍｍである。また、第１円弧５１と第２円弧５２との交点（接続点、境界点）を通る境界線上のエアギャップは、０．９ｍｍである。第１円弧５１とステータ内周面との間のエアギャップ１５は、第１円弧５１の範囲内において、極間中心線に向かうほど小さくなる一方、第２円弧５２とステータ内周面との間のエアギャップは、第２円弧の範囲内において、一様である。なお、第１円弧５１のそれぞれと、その両側に隣り合う一対の第２円弧とは、当該第１円弧の極間中心線に関して線対称に形成されている。
【００５９】
以上のように構成された永久磁石埋込型電動機によれば、スリットによりロータ外周面側で鉄心部分（磁路）が広がり、磁束の集中を緩和することが出来、更に、ロータ外周面とステータ内周面との間のエアギャップが磁極中心部から極間部に向かって大きくなるように構成されるため、ロータ表面の磁気抵抗は磁極中心部から極間部に向かって大きくなり、ロータ外表面の磁気抵抗は磁極中心部から極間部に向かって大きくなり、ロータ表面の磁束密度分布は磁極中心部で最大となる正弦波に近い分布となり、磁束密度の高調波成分を低減することができ、電動機の振動騒音を小さくすることができる。
【００６０】
実施の形態４．
次に、上述した実施の形態の永久磁石埋込型電動機を搭載したロータリ圧縮機について説明する。なお、本発明は、上述した実施の形態何れかの永久磁石埋込型電動機を搭載した圧縮機を含むものであるが、圧縮機の種別は、ロータリ圧縮機に限定されるものではない。
【００６１】
図１２は、永久磁石埋込型電動機を搭載したロータリ圧縮機の縦断面図である。ロータリ圧縮機２６０は、密閉容器２６１内に、永久磁石埋込型電動機（電動要素）１と、圧縮要素２６２とを備えている。図示はしないが、密閉容器２６１の底部に、圧縮要素各摺動部を潤滑する冷凍機油が貯留されている。
【００６２】
圧縮要素２６２は、主な要素として、上下積層状態に設けられたシリンダ２６３と、永久磁石埋込型電動機１により回転するシャフト１３である回転軸２６４と、回転軸２６４に嵌挿されるピストン２６５と、シリンダ２６３内を吸入側と圧縮側とに分けるベーン（図示せず）と、回転軸２６４が回転自在に嵌挿され、シリンダ２６３の軸方向端面を閉塞する上下一対の上部フレーム２６６及び下部フレーム２６７と、上部フレーム２６６及び下部フレーム２６７にそれぞれ装着されたマフラ２６８とを含んでいる。
【００６３】
永久磁石埋込型電動機１のステータ３は、密閉容器２６１に焼嵌または溶接等の方法により直接取り付けられ保持されている。ステータ３のコイルには、密閉容器２６１に固定されるガラス端子２６９から電力が供給される。
【００６４】
ロータ５は、ステータ３の内径側に、空隙（エアギャップ１５）を介して配置されており、ロータ５の中心部の回転軸２６４を介して圧縮要素２６２の軸受け部（上部フレーム及び下部フレーム）により回転自在な状態で保持されている。
【００６５】
次に、かかるロータリ圧縮機の動作について説明する。アキュムレータ２７０から供給された冷媒ガスは、密閉容器２６１に固定された吸入パイプ２７１よりシリンダ２６３内へ吸入される。インバータの通電によって永久磁石埋込型電動機１が回転されていることで、回転軸２６４に嵌合されたピストン２６５がシリンダ２６３内で回転される。それにより、シリンダ２６３内では冷媒の圧縮が行われる。
【００６６】
冷媒は、マフラを経た後、密閉容器２６１内を上昇する。このとき、圧縮された冷媒には冷凍機油が混入している。この冷媒と冷凍機油との混合物は、ロータ鉄心に設けた風穴を通過する際に、冷媒と冷凍機油との分離を促進され、冷凍機油が吐出パイプ２７２へ流入するのを防止できる。このようにして、圧縮された冷媒が、密閉容器２６４に設けられた吐出パイプ２７２を通って冷凍サイクルの高圧側へと供給される。
【００６７】
尚、ロータリ圧縮機の冷媒には、従来からあるＲ４１０Ａ、Ｒ４０７Ｃ、Ｒ２２等を用いてもよいが、低ＧＷＰ（地球温暖化係数）の冷媒等などいかなる冷媒も適用できる。地球温暖化防止の観点からは、低ＧＷＰ冷媒が望まれている。低ＧＷＰ冷媒の代表例として、以下の冷媒がある。
（１）組成中に炭素の二重結合を有するハロゲン化炭化水素：例えば、ＨＦＯ−１２３４ｙｆ（ＣＦ３ＣＦ＝ＣＨ２）である。ＨＦＯは、Ｈｙｄｒｏ−Ｆｌｕｏｒｏ−Ｏｌｅｆｉｎの略で、Ｏｌｅｆｉｎは、二重結合を一つ持つ不飽和炭化水素のことである。尚、ＨＦＯ−１２３４ｙｆのＧＷＰは４である。
（２）組成中に炭素の二重結合を有する炭化水素：例えば、Ｒ１２７０（プロピレン）である。尚、ＧＷＰは３で、ＨＦＯ−１２３４ｙｆより小さいが、可燃性はＨＦＯ−１２３４ｙｆより大きい。
（３）組成中に炭素の二重結合を有するハロゲン化炭化水素または組成中に炭素の二重結合を有する炭化水素の少なくともいずれかを含む混合物：例えば、ＨＦＯ−１２３４ｙｆとＲ３２との混合物等である。ＨＦＯ−１２３４ｙｆは、低圧冷媒のため圧損が大きくなり、冷凍サイクル（特に、蒸発器において）の性能が低下しやすい。そのため、ＨＦＯ−１２３４ｙｆより高圧冷媒であるＲ３２又はＲ４１等との混合物が実用上は有力になる。
【００６８】
以上に構成されたロータリ圧縮機においても、上述した永久磁石埋込型電動機を用いれば、ロータの永久磁石の径方向外側の鉄心部分の磁束の集中を緩和し、ロータ外周面の磁束密度のアンバランスを抑制することで、振動を抑制できる。特に、圧縮機用のモータは、駆動時に圧縮機構による負荷変動が発生し、ロータ外周近傍の鉄心部分に局所的な磁束の集中が発生しやすく、前記スリットによる磁束密度の緩和は効果的である。
【００６９】
実施の形態５．
また、本発明は、図１３に例示するように、上述した圧縮機２６０を冷凍回路の構成要素として含む、冷凍空調装置３８０として実施することも可能である。なお、冷凍空調装置３８０の冷凍回路には、凝縮器３８１、蒸発器３８２、膨張装置３８３を少なくとも含むが、これら凝縮器３８１、蒸発器３８２、膨張装置３８３を含む圧縮機以外の構成要素の構成は、特に、限定されるものではない。
【００７０】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００７１】
１  永久磁石埋込型電動機、３  ステータ、５  ロータ、５ａ  ロータ外周面、１１  ロータ鉄心、１５  エアギャップ、１９  永久磁石、２１  磁石挿入孔、３１、１３１  スリット、４１  第１の部分、２６０  ロータリ圧縮機、２６１  密閉容器、３８０  冷凍空調装置。
【図１】
2015162690.tif 000003
【図２】
2015162690.tif 000004
【図３】
2015162690.tif 000005
【図４】
2015162690.tif 000006
【図５】
2015162690.tif 000007
【図６】
2015162690.tif 000008
【図７】
2015162690.tif 000009
【図８】
2015162690.tif 000010
【図９】
2015162690.tif 000011
【図１０】
2015162690.tif 000012
【図１１】
2015162690.tif 000013
【図１２】
2015162690.tif 000014
【図１３】
2015162690.tif 000015
【国際調査報告】
2015162690.tif 000016
2015162690.tif 000017
2015162690.tif 000018
2015162690.tif 000019